(57)【特許請求の範囲】
【請求項１】
第１のディスクと、当該第１のディスクよりも直径の小さい第２のディスクを挿入することが可能であり、当該第１のディスク及び第２のディスクのいずれを挿入しても、所定の位置に位置決めする位置決め手段を有するディスク再生装置において、
前記位置決め手段は、
前記第１のディスク及び第２のディスクの挿入面に対してほぼ垂直な方向に動作可能である板バネと、
前記所定の位置に位置決めされた第２のディスクの形状に沿うように前記板バネの下面に設けられたストッパピンと、
前記第１のディスクの挿入動作と連動して前記板バネを変位させるロックアームと、
前記第１のディスクに当接し、当該第１のディスクを前記所定の位置に位置決めする固定ストッパとを具備し、
前記第１のディスクを挿入したときには、当該第１のディスクが前記ロックアームと当接することによって、当該第１のディスクの挿入面から離間する方向に前記板バネが撓むことにより、前記ストッパピンが当該第１のディスクとの当接を回避する非当接状態におかれ、当該第１のディスクは、前記固定ストッパに当接し、
前記第２のディスクを挿入したときには、前記ストッパピンが当該第２のディスクと当接する当接状態におかれ、当該第２のディスクは、当該ストッパピンに当接し、前記所定の位置に位置決めすることを特徴とするディスク再生装置。
【請求項２】
シャシを備え、
前記第１のディスク及び第２のディスクは、前記シャシの下面側に挿入され、
前記ロックアーム及び板バネは、前記シャシの上面に設けられ、
前記ストッパピンは、上下方向に移動可能であるように前記シャシの下面から突出し、
前記ロックアームは、前記第１のディスクが挿入されると、当該第１のディスクによって所定の方向に回動しながら前記板バネと前記シャシの間に入り込み、前記ストッパピンが前記シャシの下面から突出しないように前記板バネを上昇させることを特徴とする請求項１に記載のディスク再生装置。
【発明の詳細な説明】
【０００１】
【発明の属する技術分野】
本発明は、径の異なる２種類のディスクを挿入することが可能であるディスク再生装置に関する。
【０００２】
【従来の技術】
オーディオなどに設けられているディスク再生装置は、直径８ｃｍと直径１２ｃｍの２種類のディスクを再生可能である。このようなディスク再生装置では、どちらの大きさのディスクを挿入しても、ディスク回転用モータ上のターンテーブルに装着されるように、ディスクをほぼ中央に位置決めしなくてはならない。
【０００３】
図６に従来のディスク再生装置におけるセンタリング手段１を示した。センタリング手段１は、天板であるシャシ３の下面に設けられており、図６〜図９ではシャシ３を仮想線で示し、主要な部材を実線で示している。
センタリング手段１は、ロックアーム５、ストッパ部材２、４、固定ストッパ７、７とから概略構成される。ロックアーム５は、シャシ３に取り付けられた軸部５ａを中心に回動可能であり、一端部には下方（紙面に向こう側）に突出する突出ピン５ｂが固定されている。また、ロックアーム５の他端部には、上方に立ち上がる爪部５ｃが設けられている。
ストッパ部材２は、シャシ３に取り付けられた軸部２ａを中心に回動可能であるとともに、一端部にはディスクに当接可能なストッパピン２ｂが下方に向かって突出している。ストッパ部材２には、前記爪部５ｃに係止される係止部２ｃが設けられ、係止部２ｃを介してロックアーム５により回動動作が規制されている。また、他端部にはストッパ部材４の二股部４ｃに係合される係合ピン２ｄが下方に突出している。
【０００４】
ストッパ部材４は、シャシ３に取付られた軸部４ａを中心に回動可能であり、一端部にはディスクに当接可能なストッパピン４ｂが下方に向かって突出している。ストッパ部材４の他端部には二股に分かれるように形成された二股部４ｃが形成されている。この二股部４ｃに前記係合ピン２ｄが係合し、ストッパ部材２、４は連動して作動するようになっている。
固定ストッパ７、７は下方に突出するようにシャシ３に固定されている。
また、シャシ３の中央部の真下には、ディスク回転用の図示しないスピンドルモータにより回転するターンテーブル６が設けられている。
【０００５】
次に、上記構成を有するセンタリング手段１において、１２ｃｍのディスクＤ１、８ｃｍのディスクＤ２を挿入するときの動作を説明する。
まず、手でディスクＤ１をシャシ３下の挿入口Ｅに挿入すると、ディスクＤ１は図示しないディスク搬送機構により引き込まれていく。その移動途中において、図７に示すようにディスクＤ１の周縁部はロックアーム５の突出ピン５ｂに当接し、ディスクＤ１がさらに移動すると軸部５ａを中心にロックアーム５は時計方向に回動する。これにより爪部５ｃによる係止部２ｃの係止が外れて、ストッパ部材２が回動可能となる。また、この状態でディスクＤ１がストッパ部材２、４のストッパピン２ｂ、４ｂに当接し、ディスクＤ１がさらに搬送されるにともない、ストッパ部材２、４は軸部２ａ、４ａを中心に回動しながら押し広げられる。やがて、図８に示すように、ディスクＤ１は、固定ストッパ７、７に当接し、ディスクＤ１は固定ストッパ７、７及びストッパピン２ｂ、４ｂにより当接した状態で、センタリングされターンテーブル６上に装着される。
【０００６】
一方、直径８ｃｍのディスクＤ２を挿入するときには、ディスクＤ２の周縁部はロックアーム５の突出ピン５ｂに当接することができない。よって、図９に示すように、ストッパ部材２、４も回動することなく、ディスクＤ２は、ストッパピン２ｂ、４ｂに当接した状態で、センタリングされる。
【０００７】
【発明が解決しようとする課題】
ところで、ストッパ部材２、４は、ディスクＤ１の排出時に図示しないバネの力のみで元の位置に戻るようになっているので、このバネに十分な力を持たせている。このため、上記のようにストッパ部材２、４をディスクＤ１によって押し広げていく際に、前記バネの力に打ち勝つための力が必要であり、前記搬送機構に大きな負荷がかかっていた。よって、搬送機構において、大きなトルクを有する高価なモータを使用したりギアを多用したりしていたためコストが高くなり、動作音が大きかった。
さらに、ストッパ部材２、４は別々の部材であることから、前述のように係合ピンを設けて連動するよう工夫している。これは、ストッパ部材２、４それぞれの動きがばらついてしまうとディスクＤ１の挿入動作がぎこちないものになってしまうのを防ぐためである。しかし、このような連動のために係合ピンを必要としたり、搬送機構の負荷の増大にもつながっていた。また、センタリング手段１は、回動自在の部材を多く設けたことから振動によるガタツキ音も大きかった。
【０００８】
一方、ディスク再生装置にはより一層の薄型化が望まれている。しかし、図６のセンタリング手段１では、挿入したディスクが確実に当接するように、ストッパ部材２、４のストッパピン２ｂ、４ｂに十分な長さを持たせていたため、装置全体の薄型化が困難であった。さらに、図６で示した構造で薄型化を考えた場合、１２ｃｍのディスクＤ１が挿入された時に、８ｃｍのディスク用のストッパ部材２、４を大きく退避させる複雑な機構が必要となりコストが高くなってしまう。
また、８ｃｍのディスクを左または右に大きくずれた状態で挿入口Ｅに挿入してしまった場合には、ストッパピン２ｂ、４ｂだけではセンタリング方向への力が十分に得られない可能性もあった。
【０００９】
本発明の課題は、直径の異なるディスクのいずれでも確実にセンタリングされながら、コストを低く抑えることができ、また動作音やガタツキなどなく薄型化が可能であるディスク再生装置を提供することである。
【００１０】
【課題を解決するための手段】
以上の課題を解決するため、請求項１に記載の発明は、例えば図１に示すように、
第１のディスク（１２ｃｍディスクＤ１）と、第１のディスクよりも直径の小さい第２のディスク（８ｃｍディスクＤ２）を挿入することが可能であり、
第１のディスク及び第２のディスクのいずれを挿入しても、所定の位置（ターンテーブル１２）に位置決めする位置決め手段（センタリング手段２０）を有するディスク再生装置（１０）において、
前記位置決め手段は、
前記第１のディスク及び第２のディスクの挿入面に対してほぼ垂直な方向に動作可能である板バネ（板バネ２３ａ）と、
前記所定の位置に位置決めされた第２のディスクの形状に沿うように前記板バネの下面に設けられたストッパピン（ストッパピン２４，２５）と、
前記第１のディスクの挿入動作と連動して前記板バネを変位させるロックアーム（ロックアーム２１）と、
前記第１のディスクに当接し、当該第１のディスクを前記所定の位置に位置決めする固定ストッパ（固定ストッパ２２）とを具備し、
前記第１のディスクを挿入したときには、当該第１のディスクが前記ロックアームと当接することによって、当該第１のディスクの挿入面から離間する方向に前記板バネが撓むことにより、前記ストッパピンが当該第１のディスクとの当接を回避する非当接状態におかれ、当該第１のディスクは、前記固定ストッパに当接し、
前記第２のディスクを挿入したときには、前記ストッパピンが当該第２のディスクと当接する当接状態におかれ、当該第２のディスクは、当該ストッパピンに当接し、前記所定の位置に位置決めすることを特徴とする。
【００１１】
請求項１に記載の発明によれば、第１のディスクを挿入するとロックアームによって板バネがディスクの挿入面に対してほぼ垂直方向に駆動され、非当接状態となり、第１のディスクは固定ストッパによって位置決めされる。また、第２のディスクを挿入したときは、ストッパピンによって当接されて所定の位置に位置決めされる。すなわち、第１のディスクを挿入したときに、板バネがディスク挿入面に対して垂直方向に逃げることから、従来のようにディスク面とほぼ同じ面内で退避することと比較して、格段に移動量を小さくすることができる。これにより、板バネを小さな力で駆動することができる。ひいては、ディスク搬送機構を設けた場合に小さいトルクのモータを使用したり、構成するギア等を単純なものとすることができ、動作音も小さくなるし、コストも抑えることができる。
また、第２ディスク用の位置決め部材として板バネ及びストッパピンを用いることで、構造が単純になり、この点でもコストを抑えることができる。
【００１２】
また、板バネを用いることにより、ロックアームがストッパピンを非当接状態に変位させた場合でも、他の駆動源などを設けなくても板バネの弾性力により元の当接状態に戻すことができ、構成を簡素化することができる。
【００１３】
さらに、板バネの複数のストッパピンは、所定の位置を中心に第２のディスクの形状に沿うように配置されていることから、挿入された第２のディスクは所定の位置に容易に位置決めされる。
ここで、ストッパピンは２本以上でよいが、さらに多い方が位置決めしやいので好ましい。また、挿入された第２のディスクを所定の位置に容易に位置決めするには、ディスクを挿入口の両端の一方に偏った位置で挿入したとしても、ディスクがストッパピンから所定の位置へ向かう力を受けるように、第２のディスクの外形周縁部の比較的広範囲にわたって当接するよう配置することが好ましい。
【００１４】
請求項２に記載の発明は、請求項１に記載のディスク再生装置において、
シャシ（１１）を備え、
前記第１のディスク及び第２のディスクは、前記シャシの下面（１１ｂ）側に挿入され、
前記ロックアーム及び板バネは、前記シャシの上面（１１ｃ）に設けられ、
前記ストッパピンは、上下方向に移動可能であるように前記シャシの下面から突出し、
前記ロックアームは、前記第１のディスクが挿入されると、当該第１のディスクによって所定の方向に回動しながら前記板バネと前記シャシの間に入り込み、前記ストッパピンが前記シャシの下面から突出しないように前記板バネを上昇させることを特徴とする。
【００１５】
請求項２に記載の発明によれば、第１のディスクが挿入されると、ロックアームを介して板バネが上昇し、ストッパピンはシャシ下面から突出した状態ではなくなり、ディスクに当接しない。第２のディスクの挿入時には、ロックアームを介して板バネは上昇しないことから、挿入されたディスクはシャシ下面から突出するストッパピンに当接される。
このように板バネのストッパピンは、上下動するように構成されており、ストッパピンのシャシから突出する分を、従来のストッパピンに比べて短くすることで、ディスク再生装置全体の薄型化が可能となる。
ここで、ロックアーム及び板バネに、ロックアームが板バネとシャシとの間に入り込みやすく板バネを容易に上昇させることができるような構造を設けてもよく、例えば板バネとロックアームそれぞれに対応する形状を有する曲げ部分やテーパを形成するといったことが挙げられる。
【００１７】
【発明の実施の形態】
以下、図１〜図４を参照して本発明の実施の形態を詳細に説明する。
図１（ａ）に示すように、本発明の一例であるディスク再生装置１０は、シャシ１１と、シャシ１１下の中央付近に設けられたターンテーブル１２と、該ターンテーブル１２上にディスクが装着されるようセンタリングするセンタリング手段２０とを備える。ターンテーブル１２はディスク再生時にディスク回転用モータ（図示略）によって回転するようになっている。
シャシ１１は、従来のシャシ３と同様の金属製の天板である。シャシ１１縁部の直下にディスクの挿入口Ｅが設けられ、ディスクはシャシ１１の下面１１ｂ（図１（ｂ））と平行する面において挿入される。
【００１８】
本発明の位置決め手段としてのセンタリング手段２０は、ロックアーム２１、ストッパ部材２３、固定ストッパ２２、２２とから構成され、主にシャシ１１の上側に設けられている。
駆動部材としてのロックアーム２１は、略鉤型に形成されており、シャシ１１に軸部２１ａを介して回動可能に取り付けられている。また、一端部には下方に突出する突出ピン２１ｂが固定されている。ロックアーム２１の他端部は、図１（ｂ）に示すように、山型に折れ曲がるように形成された折り曲げ部２１ｃとなっている。
当接部材としてのストッパ部材２３は、主にコ字状の板バネ（プレート部）２３ａからなり、両端部２３ｄ、２３ｄにおいて、シャシ１１上面１１ｃに固着している。ストッパ部材２３の中央部には上方に曲げられた上曲げ部２３ｂが形成され、該上曲げ部２３ｂの下面に前記折り曲げ部２１ｃが接している。
【００１９】
板バネ２３ａの下面には、シャシ１１に対して上下方向に摺動可能に貫通した状態で、ストッパピン（当接ピン）２４、２４、２５、２５が設けられている。これらはターンテーブル１２を中心にして８ｃｍディスクの外形形状に沿うように配置されており、内側のストッパピン２４、２４は、従来で挙げた前記ストッパピン２ｂ、４ｂ（図６）より内側に設けられ、外側のストッパピン２５、２５はストッパピン２ｂ、４ｂより外側にある。ストッパピン２４、２４、２５、２５に８ｃｍのディスクが当接するとターンテーブル１２上にセンタリングされるようになっている。
ストッパ部材２３は、ストッパピン２４、２４、２５、２５が、シャシ１１の下面１１ｂ側に突出し挿入されるディスクに当接可能であるときには当接状態であり、４つのストッパピンが下面１１ｂからほとんど突出せずディスクに当接できないときには非当接状態である。
また、固定ストッパ（第１ディスク用位置決め部材）２２、２２は、シャシ１１に固定され下方に突出しており、これに当接した１２ｃｍのディスクはターンテーブル１２上にセンタリング（位置決め）される。
【００２０】
上記センタリング手段２０を備えるディスク再生装置１０において、１２ｃｍの直径を有するディスクＤ１（第１のディスク）、８ｃｍの直径を有するディスクＤ２（第２のディスク）を挿入する場合の動作について図２〜図４に基づいて説明する。
まず、ディスクＤ１を入れる場合について説明する。手でディスクＤ１をシャシ１１下の挿入口Ｅに挿入すると、ディスクＤ１は図示しないディスク搬送機構により引き込まれていく。これによりディスクＤ１の周縁部は、図２（ａ）に示すように、ロックアーム２１の突出ピン２１ｂに当接し、これを押していき、ロックアーム２１は軸部２１ａを中心に時計方向に回動していく。この回動により、ロックアーム２１の折り曲げ部２１ｃが、図２（ｂ）に示すように、ストッパ部材２３の上曲げ部２３ｂの下に入り込んでいき、これに伴い板バネ２３ａが反るように撓み、ストッパピン２４、２４、２５、２５が上昇する（非当接状態）。したがって、ディスクＤ１はストッパピン２４、２４、２５、２５に係止されることなく、搬送され固定ストッパ２２、２２に当接し、これによりセンタリングされた状態で停止する。
【００２１】
次に、ディスクＤ２を入れる場合について説明する。ディスクＤ２を挿入口Ｅに挿入すると、ディスクＤ２は、ロックアーム２１の突出ピン２１ｂに当接することはなく、前記ディスク搬送機構により搬送されると、当接状態のストッパピン２４、２４、２５、２５に当接し、これにより図３（ａ）、（ｂ）に示すように、センタリングされた状態で停止する。
また、図４（ａ）、（ｂ）に示すように、ディスクＤ２を挿入口Ｅの最も右方から挿入した場合には、まず外側のストッパピン２５に当接する。ストッパピン２５は、従来のストッパピン４ｂと比較してより外側にあることから、これに当接したディスクＤ２は内側へ向かう力を受け、センタリング方向へ誘導されて、最終的には図３の状態になる。
【００２２】
以上のディスク再生装置１０によれば、ストッパピン２４、２４、２５、２５は、ディスクの挿入面に対して垂直な上下方向に変位するように構成されているので、１２ｃｍのディスクＤ１が挿入されたときのストッパピン２４、２４、２５、２５の移動量は、従来の構成と比較して、格段に移動量が短く、言い換えれば小さな力でストッパピン２４、２４、２５、２５を駆動することができる。ひいては、ディスク搬送機構について、小さいトルクのモータを使用したりギア等の構成をシンプルなものとすることができ、動作音は小さくなり、コストも抑えることができる。
【００２３】
また、８ｃｍディスク用のセンタリング部材はストッパ部材２３の１つで済み、しかも主に板バネ２３ａからなるのでその弾性力により非当接状態から当接状態に戻ることができ、構造も動作機構も単純であり、その点でもコストを抑えることができる。さらに、ストッパ部材２３はわずかに上下動するのみで、回転部材はロックアーム２１だけであり、自由度の高い部品が少なく、信頼性が向上し、ガタツキによる音も小さい。
さらに、ストッパピン２４、２４、２５、２５をディスクＤ２の形状に沿うように設け、特にストッパピン２５、２５は従来のストッパピン２ｂ、４ｂよりも外側にあるので、挿入口Ｅの左寄りまたは右寄りに８ｃｍディスクを挿入した場合でも、一方のストッパピン２５に当接すると、センタリング方向への力を受け、容易にセンタリングされるようになる。
加えて、ストッパピン２４、２４、２５、２５が、シャシ１１を介して上下動し、シャシ１１から突出している分が比較的短いので、薄型化が可能である。
総じて言えば、少ない部品点数、単純な構造により、省力化、低コスト化、薄型化、騒音の低減、さらには動作の信頼性の向上を図ることができる。
【００２４】
＜変形例＞
上記実施の形態では、ストッパ部材を板バネから構成したが、図５に示すような構成でもよい。図５では、ストッパ部材以外は、上記実施の形態と全く同じであるので、同符号を付し説明は省略する。
図５のストッパ部材３０は、板バネよりも剛性の高いプレートであり、シャシ１１上に軸部３０ａを介して固定され、軸部３０ａを中心に回動可能となっている。また、ストッパ部材２３同様に上曲げ部３０ｂが形成されている。ストッパ部材３０の下面には、図１同様にストッパピン２４、２４、２５、２５（図５では１組のみ図示）が設けられている。さらに、ストッパ部材３０は、図示しないバネなどの弾性部材により下方に付勢されている。
ストッパ部材３０は、１２ｃｍのディスクＤ１が挿入されるときに、折り曲げ部２１ｃが上曲げ部３０ｂとシャシ１の間に入り込むと、軸部３０ａを中心に上方に回動し、ストッパピン２４、２５がディスクＤ１の挿入を妨げない位置まで上昇するようになっている。ディスクＤ１が排出されるときには、前記弾性部材により下方に戻るようになっている。
このような図５に示すストッパ部材３０を用いても、前述同様の作用効果を奏することができる。
【００２５】
なお、本発明は上記実施の形態に限定されるものではなく、具体的な形状や構造など適宜変更可能であるのは勿論である。
例えば、ストッパ部材はコ字状に限らず、円弧状などの他の形状であってもよいし、ストッパピンの数は４本でなく、２本、３本あるいは５本以上でもよい。また、ロックアームの折り曲げ部とストッパ部材の上曲げ部の構造も、上記実施の形態とは異なる形状でもよく、要はロックアームの回転によりストッパ部材が上昇するように構成されていればよい。
また、ディスクの大きさは例示であり、１２ｃｍ、８ｃｍに限らない。
さらに、本発明のディスク再生装置における部材の上下関係の記載は、オーディオ装置などに組み込んだときの実際の位置関係を決定するものではなく、シャシに対してディスク挿入面側が上であってもよいし、あるいはシャシ及びディスク挿入面が上下に平行するように設けられてもよい。
【００２６】
【発明の効果】
請求項１に記載の発明によれば、第１のディスクを挿入するとロックアームによって板バネがディスクの挿入面に対してほぼ垂直方向に駆動され、非当接状態となり、第１のディスクは固定ストッパによって位置決めされる。また、第２のディスクを挿入したときは、ストッパピンによって当接されて所定の位置に位置決めされる。
すなわち、第１のディスクを挿入したときに、板バネがディスク挿入面に対して垂直方向に逃げることから、従来のようにディスク面とほぼ同じ面内で退避することと比較して、格段に移動量を小さくすることができる。これにより、板バネを小さな力で駆動することができる。ひいては、ディスク搬送機構を設けた場合に小さいトルクのモータを使用したり、構成するギア等を単純なものとすることができ、動作音も小さくなるし、コストも抑えることができる。
また、第２のディスク用の位置決め部材として板バネ及びストッパピンを用いることで、構造が単純になり、この点でもコストを抑えることができる。
さらに、板バネの複数のストッパピンは、所定の位置を中心に第２のディスクの形状に沿うように配置されていることから、挿入された第２のディスクは所定の位置に容易に位置決めされる。
さらに、板バネであれば、ロックアームが板バネを非当接状態に変位した場合でも、他の駆動源などを設けなくても板バネの弾性力により元の当接状態に戻すことができ、構成を簡単にできる。
【００２７】
請求項２に記載の発明によれば、板バネのストッパピンは、上下動するように構成されており、ストッパピンのシャシから突出する分を、従来のストッパピンに比べて短くすることで、ディスク再生装置全体の薄型化が可能となる。
【図面の簡単な説明】
【図１】本発明のディスク再生装置の一例を示すもので、（ａ）は平面図であり、（ｂ）はＡ−Ａ線に沿った断面図である。
【図２】図１のディスク再生装置に１２ｃｍディスクを挿入した状態を示すもので、（ａ）は平面図であり、（ｂ）はＢ−Ｂ線に沿った断面図である。
【図３】図１のディスク再生装置に８ｃｍディスクを挿入した状態を示すもので、（ａ）は平面図であり、（ｂ）はＣ−Ｃ線に沿った断面図である。
【図４】図１のディスク再生装置に８ｃｍディスクを右寄りに挿入した場合を示すもので、（ａ）は平面図であり、（ｂ）はＤ−Ｄ線に沿った断面図である。
【図５】本発明のディスク再生装置におけるストッパ部材の他の例を示す図である。
【図６】従来のディスク再生装置を示す平面図である。
【図７】図６のディスク再生装置に１２ｃｍディスクを挿入したときの動作を示す平面図である。
【図８】図６のディスク再生装置に１２ｃｍディスクを挿入した様子を示す平面図である。
【図９】図６のディスク再生装置に８ｃｍディスクを挿入した様子を示す平面図である。
【符号の説明】
１０      ディスク再生装置
１１      シャシ
１１ｂ    下面
１１ｃ    上面
１２      ターンテーブル
２０      センタリング手段（位置決め手段）
２１      ロックアーム（駆動部材）
２１ｃ    折り曲げ部
２２、２２      固定ピン（第１ディスク用位置決め部材）
２３、３０      ストッパ部材（当接部材）
２３ａ      板バネ
２３ｂ、３０ｂ      上曲げ部
２４、２４    ストッパピン（当接ピン）
２５、２５    ストッパピン（当接ピン）
Ｄ１    １２ｃｍのディスク
Ｄ２      ８ｃｍのディスク
【図１】
0003731084.tif 000002
【図２】
0003731084.tif 000003
【図３】
0003731084.tif 000004
【図４】
0003731084.tif 000005
【図５】
0003731084.tif 000006
【図６】
0003731084.tif 000007
【図７】
0003731084.tif 000008
【図８】
0003731084.tif 000009
【図９】
0003731084.tif 000010